【手続補正書】
【提出日】平成18年11月17日(2006.11.17)
【手続補正１】
【補正対象書類名】明細書
【補正対象項目名】特許請求の範囲
【補正方法】変更
【補正の内容】
【特許請求の範囲】
【請求項１】  所定の縮小率に基づいて元画像を縮小して縮小画像を生成する縮小画像生成手段と、
前記縮小画像に対して、第１の画像処理条件に基づく画像処理を行う第１の画像処理手段と、
前記画像処理が行われた縮小画像を表示する表示手段と、
前記第１の画像処理条件の調整を行う調整手段と、
前記縮小率に応じて、前記調整が行われた第１の画像処理条件から第２の画像処理条件を生成する画像処理条件生成手段と、
前記元画像に対して、前記第２の画像処理条件に基づく画像処理を行う第２の画像処理手段とを有することを特徴とする画像処理装置。
【請求項２】  前記表示手段による表示と、前記調整手段による調整とをユーザからの指示があるまで繰り返すことを特徴とする請求項１に記載の画像処理装置。
【請求項３】  前記第２の画像処理条件を前記元画像と共に格納する格納手段を更に備えることを特徴とする請求項１に記載の画像処理装置。
【請求項４】  前記第１及び第２の画像処理手段により行われる画像処理は、いずれも照射野認識処理を含むことを特徴とする請求項１に記載の画像処理装置。
【請求項５】  前記第１及び第２の画像処理手段は、複数種類の画像処理を行うことが可能であり、
各々の画像処理にかかる前記第１の画像処理条件及び前記第２の画像処理条件は、前記画像処理の種類に応じて互いに関連付けられていることを特徴とする請求項１に記載の画像処理装置。
【請求項６】  所定の縮小率に基づいて元画像を縮小して縮小画像を生成する縮小画像生成ステップと、
前記縮小画像に対して、第１の画像処理条件に基づく画像処理を行う第１の画像処理ステップと、
前記画像処理が行われた縮小画像の表示を指示する表示指示ステップと、
前記第１の画像処理条件の調整を指示する調整指示ステップと、
前記縮小率に応じて、前記調整が行われた第１の画像処理条件から第２の画像処理条件を生成する画像処理条件生成ステップと、
前記元画像に対して、前記第２の画像処理条件に基づく画像処理を行う第２の画像処理ステップとを有することを特徴とする画像処理方法。
【請求項７】  所定の縮小率に基づいて元画像を縮小して縮小画像を生成する縮小画像生成ステップと、
前記縮小画像に対して、第１の画像処理条件に基づく画像処理を行う第１の画像処理ステップと、
前記画像処理が行われた縮小画像の表示を指示する表示指示ステップと、
前記第１の画像処理条件の調整を指示する調整指示ステップと、
前記縮小率に応じて、前記調整が行われた第１の画像処理条件から第２の画像処理条件を生成する画像処理条件生成ステップと、
前記元画像に対して、前記第２の画像処理条件に基づく画像処理を行う第２の画像処理ステップと
をコンピュータに実行させるプログラムを記憶したコンピュータ読み取り可能な記憶媒体。
【請求項８】  所定の縮小率に基づいて元画像を縮小して縮小画像を生成する縮小画像生成手段と、
前記縮小画像に対して、第１の画像処理条件に基づく画像処理を行う第１の画像処理手段と、
前記画像処理が行われた縮小画像を表示する表示手段と、
前記第１の画像処理条件の調整を行う調整手段と、
前記元画像に対して、第２の画像処理条件に基づく画像処理を行う第２の画像処理手段とを有し、
前記第１及び第２の画像処理条件は同一種類の画像処理を行うための画像処理条件であり、前記縮小率及び前記画像処理の種類に応じて関連付けられていることを特徴とする画像処理装置。
【手続補正２】
【補正対象書類名】明細書
【補正対象項目名】０００８
【補正方法】変更
【補正の内容】
【０００８】
【課題を解決するための手段】
斯かる目的下において、第１の発明に係る画像処理装置は、所定の縮小率に基づいて元画像を縮小して縮小画像を生成する縮小画像生成手段と、前記縮小画像に対して、第１の画像処理条件に基づく画像処理を行う第１の画像処理手段と、前記画像処理が行われた縮小画像を表示する表示手段と、前記第１の画像処理条件の調整を行う調整手段と、前記縮小率に応じて、前記調整が行われた第１の画像処理条件から第２の画像処理条件を生成する画像処理条件生成手段と、前記元画像に対して、前記第２の画像処理条件に基づく画像処理を行う第２の画像処理手段とを有することを特徴とする。
【手続補正３】
【補正対象書類名】明細書
【補正対象項目名】０００９
【補正方法】変更
【補正の内容】
【０００９】
第２の発明に係る画像処理装置は、上記第１の発明において、前記表示手段による表示と、前記調整手段による調整とをユーザからの指示があるまで繰り返すことを特徴とする。
【手続補正４】
【補正対象書類名】明細書
【補正対象項目名】００１０
【補正方法】変更
【補正の内容】
【００１０】
第３の発明に係る画像処理装置は、上記第１の発明において、前記第２の画像処理条件を前記元画像と共に格納する格納手段を更に備えることを特徴とする。
【手続補正５】
【補正対象書類名】明細書
【補正対象項目名】００１１
【補正方法】変更
【補正の内容】
【００１１】
第４の発明に係る画像処理装置は、上記第１の発明において、前記第１及び第２の画像処理手段により行われる画像処理は、いずれも照射野認識処理を含むことを特徴とする。
【手続補正６】
【補正対象書類名】明細書
【補正対象項目名】００１２
【補正方法】変更
【補正の内容】
【００１２】
第５の発明に係る画像処理装置は、上記第１の発明において、前記第１及び第２の画像処理手段は、複数種類の画像処理を行うことが可能であり、各々の画像処理にかかる前記第１の画像処理条件及び前記第２の画像処理条件は、前記画像処理の種類に応じて互いに関連付けられていることを特徴とする。
【手続補正７】
【補正対象書類名】明細書
【補正対象項目名】００１３
【補正方法】変更
【補正の内容】
【００１３】
第６の発明に係る画像処理方法は、所定の縮小率に基づいて元画像を縮小して縮小画像を生成する縮小画像生成ステップと、前記縮小画像に対して、第１の画像処理条件に基づく画像処理を行う第１の画像処理ステップと、前記画像処理が行われた縮小画像の表示を指示する表示指示ステップと、前記第１の画像処理条件の調整を指示する調整指示ステップと、前記縮小率に応じて、前記調整が行われた第１の画像処理条件から第２の画像処理条件を生成する画像処理条件生成ステップと、前記元画像に対して、前記第２の画像処理条件に基づく画像処理を行う第２の画像処理ステップとを有することを特徴とする。
【手続補正８】
【補正対象書類名】明細書
【補正対象項目名】００１４
【補正方法】変更
【補正の内容】
【００１４】
第７の発明に係るコンピュータ読み取り可能な記憶媒体は、所定の縮小率に基づいて元画像を縮小して縮小画像を生成する縮小画像生成ステップと、前記縮小画像に対して、第１の画像処理条件に基づく画像処理を行う第１の画像処理ステップと、前記画像処理が行われた縮小画像の表示を指示する表示指示ステップと、前記第１の画像処理条件の調整を指示する調整指示ステップと、前記縮小率に応じて、前記調整が行われた第１の画像処理条件から第２の画像処理条件を生成する画像処理条件生成ステップと、前記元画像に対して、前記第２の画像処理条件に基づく画像処理を行う第２の画像処理ステップとをコンピュータに実行させるプログラムを記憶したことを特徴とする。
【手続補正９】
【補正対象書類名】明細書
【補正対象項目名】００１５
【補正方法】変更
【補正の内容】
【００１５】
第８の発明に係る画像処理装置は、所定の縮小率に基づいて元画像を縮小して縮小画像を生成する縮小画像生成手段と、前記縮小画像に対して、第１の画像処理条件に基づく画像処理を行う第１の画像処理手段と、前記画像処理が行われた縮小画像を表示する表示手段と、前記第１の画像処理条件の調整を行う調整手段と、前記元画像に対して、第２の画像処理条件に基づく画像処理を行う第２の画像処理手段とを有し、前記第１及び第２の画像処理条件は同一種類の画像処理を行うための画像処理条件であり、前記縮小率及び前記画像処理の種類に応じて関連付けられていることを特徴とする。
【手続補正１０】
【補正対象書類名】明細書
【補正対象項目名】００２１
【補正方法】変更
【補正の内容】
【００２１】
画像読取部１２０には、表示手段であるディスプレイ部１３２と、キーボード及びマウス等からなる操作部１３３とが各々接続されている。
画像読取部１２０は、タイマ１２３を有する画像読取制御部１２２、作業用領域等を含むＲＡＭ１２４、各種処理を実行するためのデータや処理プログラム等が格納されるＲＯＭ１２５、外部ネットワーク（ＬＡＮ）とのインターフェースであるＬＡＮ／ＩＦ部１２６、外部可搬媒体記録装置とのインターフェースであるＤＩＳＫ／ＩＦ部１２７、ユーザとのインターフェースでありディスプレイ部１３２及び操作部１３３が接続されたユーザＩＦ部１２９、ハードディスク等の不揮発性記憶部１２８、及び本装置全体の動作制御を司るＣＰＵ１３０が各々、バス１３１上で繋がれており、各々が互いにデータ授受する構成となっている。
また、画像読取部１２０は、画像読取制御部１２２の出力が供給される曝射許可スイッチ１２１をも備えており、この曝射許可スイッチ１２１から上記の曝射信号２がＸ線発生制御部１５０に与えられるようになされている。
【手続補正１１】
【補正対象書類名】明細書
【補正対象項目名】００４９
【補正方法】変更
【補正の内容】
【００４９】
縮小画像処理用パラメータ生成部１２２ｂは、推奨画像調整パラメータであるデフォルト値をデフォルト値保持部１２２ａから読み出す。このデフォルト値は、生画像用の画像調整パラメータである。よって、縮小画像処理用パラメータ生成部１２２ｂは、後述する画像縮小部１２２ｅにて用いられた所定の縮小率に基づいて、上記のデフォルト値を、第１の画像処理条件である生縮小画像用パラメータに変換する。
【手続補正１２】
【補正対象書類名】明細書
【補正対象項目名】００５０
【補正方法】変更
【補正の内容】
【００５０】
縮小画像生成手段である画像縮小部１２２ｅは、元画像である生画像を、所定の縮小率に基づいて縮小画像である生縮小画像に変換する。例えば、画像縮小後の画像サイズが、横３３６ピクセル、縦３３６ピクセルの１２ビットデータとなるような、画像縮小処理及びサンプリング処理を行う（１／８の縮小）。これらの処理が行われた生画像データを、以下、「生縮小画像データ」（表示用画像データ）と言う。
尚、上記の生画像は、生画像一時記憶部１２２ｈに一旦記憶される。
【手続補正１３】
【補正対象書類名】明細書
【補正対象項目名】００５１
【補正方法】変更
【補正の内容】
【００５１】
第１の画像処理手段である縮小画像処理部１２２ｆは、画像縮小部１２２ｅにて得られた生縮小画像データに、縮小画像処理用パラメータ生成部１２２ｂにて得られた生縮小画像用パラメータに基づいた画像処理を施すことで、該生縮小画像データを縮小画像３０１に変換する。この縮小画像処理部１２２ｆにて得られた縮小画像３０１が、表示されることになる。
【手続補正１４】
【補正対象書類名】明細書
【補正対象項目名】００５２
【補正方法】変更
【補正の内容】
【００５２】
ユーザは、表示された縮小画像３０１に基づき調整結果を確認し、所望の調整結果が得られるまで、画像調整を行う。このときの再調整に関するユーザからの指示は、上記図１に示したユーザＩ／Ｆ部１２９を介して、調整手段である画像調整指示部１２２ｃに対して入力される。
【手続補正１５】
【補正対象書類名】明細書
【補正対象項目名】００５６
【補正方法】変更
【補正の内容】
【００５６】
画像調整決定部１２２ｄは、このユーザからの指示に基づいて、画像調整指示部１２２ｃにて保持されている生縮小画像用パラメータ、すなわち所望の調整結果が得られたときの生縮小画像用パラメータを、画像処理条件生成手段であるパラメータ変換部１２２ｇに供給する。
【手続補正１６】
【補正対象書類名】明細書
【補正対象項目名】００５７
【補正方法】変更
【補正の内容】
【００５７】
パラメータ変換部１２２ｇは、画像調整決定部１２２ｄからの生縮小画像用パラメータに基づいた第２の画像処理条件である生画像用パラメータを生成する。
【手続補正１７】
【補正対象書類名】明細書
【補正対象項目名】００５８
【補正方法】変更
【補正の内容】
【００５８】
第２の画像処理手段である画像処理部１２２ｉは、生画像一時記憶部１２２ｈに記憶されている生画像に対して、パラメータ変換部１２２ｇにて得られた生画像用パラメータを用いた画像処理を行って、処理後画像を生成する。
【手続補正１８】
【補正対象書類名】明細書
【補正対象項目名】０１２０
【補正方法】変更
【補正の内容】
【０１２０】
上述のような（１）〜（３）の画像処理により得られた結果の画像は、ディスプレイ部１３２のオーバービュー表示部３０４に画面表示される。操作者は、この画面表示された画像を観察して、適切であると判断した場合、操作部１３３のマウスにより、該表示画面上に設けられている処理確定ボタン３０７をクリックする（上記図２参照）。
これにより、このときの画像処理が確定（決定）し、確定した該画像処理での画像処理パラメ−タは、格納手段である不揮発性記憶部１２８に、既に記憶されている生画像データに対応して記憶される。
【手続補正１９】
【補正対象書類名】明細書
【補正対象項目名】０１２５
【補正方法】変更
【補正の内容】
【０１２５】
不揮発性記憶部１２８から、オーバービュー表示部３０４にて選択された画像に対応する生画像データを読み出し、該生画像データをＲＡＭ１２４上にロードする（ステップＳ３３１）。
次に、ＲＡＭ１２４上にロードした生画像データから生縮小画像データを生成する（ステップＳ３３２）。
次に、オーバービュー表示部３０４にて選択された画像の撮影時において、上述したようにして決定された生画像データに対する画像処理パラメータを、上記図１８に示したようなデフォルト値とし、同図に示した規定に従って、生縮小画像データに対する画像処理パラメータを生成する。そして、生成された生縮小画像用パラメータを用いて、生縮小画像データに対して画像処理を行い、ディスプレイ部１３２の画像表示部３０１に表示させる（ステップＳ３３３）。
これと同時に、そのときの撮影条件（生縮小画像用パラメータに応じた生画像用パラメータ）をも、ディスプレイ部１３２の撮影条件表示部３０３に再表示させる（ステップＳ３３４）。
【手続補正２０】
【補正対象書類名】明細書
【補正対象項目名】０１６４
【補正方法】変更
【補正の内容】
【０１６４】
さらに、予め設定されている画像処理パラメータ（デフォルト値）から、縮小画像用の画像処理パラメータを生成する縮小画像処理用パラメータ生成部１２２ｂと、操作者からの決定指示に従って画像調整指示部１２２ｃにて最後に決定された画像処理パラメータから、生画像に対する生画像用パラメータを生成するパラメータ変換部１２２ｇとを設けるように構成した。
これにより、決定された生縮小画像に対する画像処理パラメータが、そのまま縮小の元となった生画像に対して用いられることはないため、ディスプレイ部１３２に画面表示されている画像処理後の生縮小画像と視覚的に同様の、画像処理後の生画像を提供することができる。
【手続補正２１】
【補正対象書類名】明細書
【補正対象項目名】０１７０
【補正方法】変更
【補正の内容】
【０１７０】
また、上述した各実施の形態において、画像読取制御部１２２は、ユーザからの指示に応じて画像調整指示部１２２ｃにて生縮小画像用パラメータを変更し、パラメータ変換部１２２ｇにて最終的な生縮小画像用パラメータから生画像用パラメータを作成するように構成した。すなわち、生縮小画像用パラメータを中心として画像読取制御部１２２が設計されているが、これに限られることはない。
例えば、図２７に示すように、ユーザからの指示に応じて画像調整指示部１２２ｃにて生画像用パラメータを変更するようにしてもよい。すなわち、生画像用パラメータを中心として画像読取制御部１２２を設計するようにしてもよい。
【手続補正２２】
【補正対象書類名】図面
【補正対象項目名】図３
【補正方法】変更
【補正の内容】
【図３】
2000076431.tif 000001
【手続補正２３】
【補正対象書類名】図面
【補正対象項目名】図１８
【補正方法】変更
【補正の内容】
【図１８】
2000076431.tif 000002
【手続補正２４】
【補正対象書類名】図面
【補正対象項目名】図１９
【補正方法】変更
【補正の内容】
【図１９】
2000076431.tif 000003
【手続補正２５】
【補正対象書類名】図面
【補正対象項目名】図２０
【補正方法】変更
【補正の内容】
【図２０】
2000076431.tif 000004